(57)【要約】【課題】選択された製品の製品情報の表示において、当該製品の有する機能をユーザが容易に認識できる情報処理装置、情報処理システム、情報処理方法及びプログラムを提供する。【解決手段】複数の製品の各々の製品毎に、当該製品の備える複数の機能と、当該各機能のレベルを数値化した機能ポイントとを対応付け、製品情報として予め記憶しておき、クライアント装置で所定の製品が選択された場合、選択された製品の製品情報に基づいて、選択された製品の備える複数の機能の各々の機能毎に機能ポイントを図示した第１の図示と、複数の機能の中からクライアント装置で選択された機能によって図示するための第２の図示とを含む第１の画面データを生成し、クライアント装置へ送信し、クライアント装置で第２の図示のための機能が選択された場合、選択された機能毎に機能ポイントを図示した第２の図示を含む第２の画面データを生成し、クライアント装置へ送信する。【選択図】図１
2010079373.tif 000002
【特許請求の範囲】
【請求項１】
クライアント装置からの要求に応じて画面データを生成し送信する情報処理装置であって、
複数の製品の各々の製品毎に、当該製品の備える複数の機能と、当該各機能のレベルを数値化した機能ポイントとを対応付け、製品情報として予め記憶しておき、
前記クライアント装置で所定の製品が選択された場合、前記選択された製品の製品情報に基づいて、前記選択された製品の備える前記複数の機能の各々の機能毎に前記機能ポイントを図示した第１の図示と、前記複数の機能の中から前記クライアント装置で選択された機能によって図示するための第２の図示とを含む第１の画面データを生成し、前記クライアント装置へ送信し、
前記クライアント装置で前記第２の図示のための機能が選択された場合、前記選択された機能毎に前記機能ポイントを図示した第２の図示を含む第２の画面データを生成し、前記クライアント装置へ送信することを特徴とする情報処理装置。
【請求項２】
前記製品情報として、前記製品の備える機能と、当該機能の属するカテゴリとを対応付けて予め記憶しておき、
前記第１の図示では、
前記選択された製品の備える全ての機能が前記カテゴリ毎に図示されることを特徴とする請求項１記載の情報処理装置。
【請求項３】
前記第２の図示では、
前記選択された機能毎に、当該機能が選択された順番が表示されることを特徴とする請求項１または２記載の情報処理装置。
【請求項４】
前記選択された機能と、当該機能が選択された順番とを対応付けて記憶することを特徴とする請求項１から３のいずれか１項に記載の情報処理装置。
【請求項５】
前記第２の図示では、
前記複数の機能の中から所定の機能が選択される前に、選択される機能の優先順位が予め表示されることを特徴とする請求項１または２記載の情報処理装置。
【請求項６】
前記選択された機能と、当該機能の優先順位とを対応付けて記憶することを特徴とする請求項１から３のいずれか１項に記載の情報処理装置。
【請求項７】
請求項１から６のいずれか１項に記載の情報処理装置を有することを特徴とする情報処理システム。
【請求項８】
クライアント装置からの要求に応じて画面データを生成し送信する情報処理装置で行われる情報処理方法であって、
複数の製品の各々の製品毎に、当該製品の備える複数の機能と、当該各機能のレベルを数値化した機能ポイントとを対応付け、製品情報として予め記憶しておくステップと、
前記クライアント装置で所定の製品が選択された場合、前記選択された製品の製品情報に基づいて、前記選択された製品の備える前記複数の機能の各々の機能毎に前記機能ポイントを図示した第１の図示と、前記複数の機能の中から前記クライアント装置で選択された機能によって図示するための第２の図示とを含む第１の画面データを生成し、前記クライアント装置へ送信するステップと、
前記クライアント装置で前記第２の図示のための機能が選択された場合、前記選択された機能毎に前記機能ポイントを図示した第２の図示を含む第２の画面データを生成し、前記クライアント装置へ送信するステップと、
を有することを特徴とする情報処理方法。
【請求項９】
クライアント装置からの要求に応じて画面データを生成し送信する情報処理装置に実行させるためのプログラムであって、
複数の製品の各々の製品毎に、当該製品の備える複数の機能と、当該各機能のレベルを数値化した機能ポイントとを対応付け、製品情報として予め記憶しておく処理と、
前記クライアント装置で所定の製品が選択された場合、前記選択された製品の製品情報に基づいて、前記選択された製品の備える前記複数の機能の各々の機能毎に前記機能ポイントを図示した第１の図示と、前記複数の機能の中から前記クライアント装置で選択された機能によって図示するための第２の図示とを含む第１の画面データを生成し、前記クライアント装置へ送信する処理と、
前記クライアント装置で前記第２の図示のための機能が選択された場合、前記選択された機能毎に前記機能ポイントを図示した第２の図示を含む第２の画面データを生成し、前記クライアント装置へ送信する処理と、
を実行させることを特徴とするプログラム。
【発明の詳細な説明】
【技術分野】
【０００１】
本発明は、ユーザに対して所定の製品に関する情報を提供する情報処理装置、情報処理システム、情報処理方法及びプログラムに関する。
【背景技術】
【０００２】
例えばＰＣ（Personal Computer）などの製品を製造、販売するメーカでは、ユーザに対し、インターネット上でホームページを提供していることが多い。このようなホームページでは、メーカ自身が取り扱っている複数の製品毎に、例えば特徴や仕様などの、当該製品に関する情報（以下製品情報という）が紹介されている。なお、このようなホームページの例として、複数の機能毎にユーザの嗜好や希望を入力させ、その入力情報を基に、複数の製品の中からユーザに最適な製品を選び出して提示するものがある（例えば、特許文献１参照）。
【特許文献１】特開２００２−１２３５４７号公報
【発明の開示】
【発明が解決しようとする課題】
【０００３】
例えば、上述したホームページにおいて複数種類のＰＣが紹介されている場合、ユーザが所望の機種についてのページを閲覧すると、当該機種の製品情報として、当該機種が備える複数の機能がそれぞれ、箇条書きの文章などで表示されていることがある。現在のＰＣは多機能であるため、このような表示方法では、当該機種がどのような機能を持っているのか（その機種を用いてどのようなことをできるのか）をユーザは認識しづらいという問題がある。
【０００４】
なお、特許文献１記載の発明は、ホームページにおいてユーザが所望の製品を指定して、その製品情報を閲覧する場合を想定しておらず、上記問題を解決することはできない。
【０００５】
本発明は、上記事情に鑑みてなされたものであり、ユーザにより選択された製品の製品情報を表示する画面において、当該製品の有する機能をユーザが容易に認識できる情報処理装置、情報処理システム、情報処理方法及びプログラムを提供することを目的とする。
【課題を解決するための手段】
【０００６】
かかる目的を達成するために、本発明の情報処理装置は、クライアント装置からの要求に応じて画面データを生成し送信する情報処理装置であって、複数の製品の各々の製品毎に、当該製品の備える複数の機能と、当該各機能のレベルを数値化した機能ポイントとを対応付け、製品情報として予め記憶しておき、クライアント装置で所定の製品が選択された場合、選択された製品の製品情報に基づいて、選択された製品の備える複数の機能の各々の機能毎に機能ポイントを図示した第１の図示と、複数の機能の中からクライアント装置で選択された機能によって図示するための第２の図示とを含む第１の画面データを生成し、クライアント装置へ送信し、クライアント装置で第２の図示のための機能が選択された場合、選択された機能毎に機能ポイントを図示した第２の図示を含む第２の画面データを生成し、クライアント装置へ送信することを特徴とする。
【０００７】
本発明の情報処理システムは、本発明の情報処理装置を有することを特徴とする。
【０００８】
本発明の情報処理方法は、クライアント装置からの要求に応じて画面データを生成し送信する情報処理装置で行われる情報処理方法であって、複数の製品の各々の製品毎に、当該製品の備える複数の機能と、当該各機能のレベルを数値化した機能ポイントとを対応付け、製品情報として予め記憶しておくステップと、クライアント装置で所定の製品が選択された場合、選択された製品の製品情報に基づいて、選択された製品の備える複数の機能の各々の全ての機能毎に機能ポイントを図示した第１の図示と、複数の機能の中からクライアント装置で選択された機能によって図示するための第２の図示とを含む第１の画面データを生成し、クライアント装置へ送信するステップと、クライアント装置で第２の図示のための機能が選択された場合、選択された機能毎に機能ポイントを図示した第２の図示を含む第２の画面データを生成し、クライアント装置へ送信するステップと、を有することを特徴とする。
【０００９】
クライアント装置からの要求に応じて画面データを生成し送信する情報処理装置に実行させるためのプログラムであって、複数の製品の各々の製品毎に、当該製品の備える複数の機能と、当該各機能のレベルを数値化した機能ポイントとを対応付け、製品情報として予め記憶しておく処理と、クライアント装置で所定の製品が選択された場合、選択された製品の製品情報に基づいて、選択された製品の備える複数の機能の各々の機能ポイントを図示した第１の図示と、複数の機能の中からクライアント装置で選択された機能によって図示するための第２の図示とを含む第１の画面データを生成し、クライアント装置へ送信する処理と、クライアント装置で第２の図示のための機能が選択された場合、選択された機能毎に機能ポイントを図示した第２の図示を含む第２の画面データを生成し、クライアント装置へ送信する処理と、を実行させることを特徴とする。
【発明の効果】
【００１０】
本発明によれば、ユーザにより選択された製品の製品情報を表示する画面において、当該製品の有する機能をユーザが容易に認識できる。
【発明を実施するための最良の形態】
【００１１】
以下、本発明を実施するための最良の形態について添付図面を参照して詳細に説明する。
【００１２】
図１は、本発明の一実施形態である情報処理システムの構成を示す図である。図１に示すように、本実施形態の情報処理システムは、サーバ装置１とクライアント装置２が、ネットワークの一例であるインターネット３を介して接続されている。サーバ装置１は、本発明の一実施形態である情報処理装置である。
【００１３】
本実施形態のサーバ装置１は、インターネット３を構成しているサーバの１つであり、クライアント装置２がアクセスし閲覧可能なホームページ内で動作する対話型のソフトウェアの形態で実現している。本実施形態のサーバ装置１は、例えば、製品の販売メーカによって運営、管理されており、そのメーカが取り扱っている製品を紹介するホームページを提供する。
【００１４】
図１に示すように、サーバ装置１は、少なくともＣＰＵ（Central Processing Unit）１１と、メモリ１２と、通信手段１４と、記憶手段１３とを備えるコンピュータである。
【００１５】
ＣＰＵ１１は、プログラムの演算処理を行い、サーバ装置１内の各手段（各装置）に命令を送りその動作を制御する。
【００１６】
メモリ１２は、任意のアドレスを指定して読み書きすることが可能なＲＡＭ（Random Access Memory）、読み込みのみ可能なＲＯＭ（Read Only Memory）等からなる。ＲＡＭは、ＣＰＵ１１が演算処理を実行する際に、記憶手段１３からデータまたはプログラムを一時的に読み込み、演算処理のワークスペースとして使用される。ＲＯＭは、ハードウェアを構成する各装置の基本入出力システム（ＢＩＯＳ：Basic Input Output System）等を格納するための記憶装置である。
【００１７】
記憶手段１３は、ホームページ等の電子データ（画面データ）およびプログラムを格納、保持する装置であって、本実施形態ではハードディスクを用いている。本実施形態では大量の電子データを取り扱うため、大容量かつ高速なハードディスクを用いることが好ましい。なお、記憶手段１３としては、ハードディスクの他にも、可搬性記録媒体等を好適に使用することができる。
【００１８】
記憶手段１３には、複数種類の製品毎の製品情報が格納されている。製品情報とは、上述したように、製品の特徴や仕様について示す、製品に関する情報である。製品情報の内容としては、例えば、製品名（又は、製品の識別情報）、装備している機能、機能の属するカテゴリ、機能のレベルを数値化した機能ポイント、価格などの、複数の属性が挙げられる。記憶手段１３は、複数の製品毎に、上記複数の属性を関連付けて記憶し、管理している。なお、本実施形態では、製品の一例をＰＣとして以下に説明するが、これに限定されない。また、本明細書でいう「製品」には、サービスなどの方法も含まれるものとする。また、本明細書でいう「機能」は、必ずしも機能そのものを示す言葉を意味しているだけではなく、ユーザのやりたいこと、すなわち、そのことを実行するために必要となる機能が対応付けられるような言葉も含む。あるいは、複数の機能によって実行できることであれば、上記ユーザのやりたいことに対して複数の機能を対応付けてもよい。
【００１９】
通信手段１４は、サーバ装置１をクライアント装置２とネットワーク接続するための装置である、通信手段１４は、例えば、ルータ、スイッチングハブ等の基幹ネットワークとの接続に用いられる装置等も含む。
【００２０】
クライアント装置２は、ユーザによって使用、操作されるコンピュータである。クライアント装置２の例としては、一般的なＰＣが挙げられる。よって、クライアント装置２の構成についての説明は省略する。但し、クライアント装置２の最低限の機能として、インターネット３を介してサーバ装置１に接続する機能、ユーザによる入力操作を受け付ける機能、サーバ装置１から提供されるホームページを表示する機能を備えるものとする。
【００２１】
本実施形態の情報処理システムは、コンピュータネットワークの一例であるインターネット３において構築されるようにしたが、これに限定されない。すなわち、本実施形態の情報処理システムは、インターネット３以外の広域のネットワークや、会社内など特定のエリアに限って構築されたＬＡＮ（Local Area Network）、ＢＢＳ（Bulletin Board System）などのパソコン通信ネットワーク等、いかなる形態のコンピュータネットワークにおいても構築することができる。
【００２２】
次に、図２を参照して、本実施形態の情報処理システムの処理（本発明の情報処理方法の一実施形態）の流れについて説明する。ここでは説明を簡単にする便宜上、ソフトウェアのプログラム実行による判断・返答等を行う動作を「装置（サーバ装置１・クライアント装置２）が行う」という形で説明する。
【００２３】
ユーザにより、ＰＣの販売メーカによって運営されるホームページを閲覧するための操作が行われると、クライアント装置２は、サーバ装置１にアクセスし、ホームページの表示を要求する（ステップＳ１１）。
【００２４】
サーバ装置１は、ホームページのトップページとして、例えば、発売中のＰＣの機種の一覧を示す画面データをクライアント装置２に送信する（ステップＳ２１）。
【００２５】
クライアント装置２は、発売中のＰＣの機種の一覧を示す画面を表示する。この画面には、ユーザに対して所望の機種の入力を促すメッセージも表示される。ユーザにより、所望の機種を選択するための操作が行われると、クライアント装置２は、選択された機種を示す識別情報をサーバ装置１に送信する（ステップＳ１２）。
【００２６】
サーバ装置１は、受信した識別情報に基づいて、記憶手段１３に格納されている製品情報を特定する。なお、記憶手段１３では、機種毎に、識別情報と製品情報とが予め対応付けらているとする。そして、サーバ装置１は、特定した製品情報（製品名、機能、カテゴリ、機能ポイント等）に基づいて生成した画面データ（第１の画面データ）をクライアント装置２に送信する（ステップＳ２２）。なお、この画面には、ユーザに対して所望の機能の入力を促すメッセージも表示される。この画面の一例を図３に示す。
【００２７】
図３は、ユーザにより選択された機種００１を紹介する画面である。図３は、製品情報の一例として、機種００１の備える全機能を表示した画面例である。図３に示すように、機種００１の備える全機能は、カテゴリ毎に図示される。図３では、例として、４つのカテゴリ毎に六角形のレーダーチャートが表示されており、各レーダーチャートには、各カテゴリに属する複数の機能が６つずつ示されている（第１の図示）。図３の画面右上に表示されている、カテゴリ「オフィス・ビジネス派」のレーダーチャートを例に説明する。このレーダーチャートには、六角形の頂点毎に、「文章・表作成」、「販売管理  簿記」、「ＨＰ  ブログ作成」、「メール  ＴＶ電話」、「オンラインゲーム」、「オンライントレード」の６つの機能が表示されている。また、このレーダーチャートでは、上記６つの機能毎に、機能のレベルを数値化した機能ポイントが５段階のいずれかで図示されている。例えば、「販売管理  簿記」の機能ポイントは３であり、「オンラインゲーム」の機能ポイントは５である。機能ポイントが大きいほど、機能が優れている、あるいは、機能を実現するのに当該機種が適していることを示している。このように、図３の画面では機種００１の備える全機能がカテゴリ別にレーダーチャートで表示されるので、ユーザは、自分が選んだ機種００１の全機能を認識、把握しやすくなる。なお、本実施形態では、図示の例として、レーダーチャートを用いたが、その他の図、表、グラフなどであってもよい。
【００２８】
また、図３の画面の中央には、４つのカテゴリのいずれにも属さずに、各頂点に表示されるべき機能が空白となっているレーダーチャートが表示されている（第２の図示）。このレーダーチャートは、その上方に表示されているユーザ向けのメッセージにあるように、ユーザの機能選択により作成されるものである。
【００２９】
ユーザは、マウスを用いて、４つのカテゴリの各レーダーチャートに表示されている機能の中から、所望の機能を選択し、中央のレーダーチャートに移動する操作を行う。例えば、ユーザがオンラインゲームを選択する場合について説明する。ユーザは、図３の画面において、図示しないマウスポインタを、カテゴリ「オフィス・ビジネス派」の「オンラインゲーム」の表示に移動させ、マウスボタンを押下する。これにより「オンラインゲーム」の表示が選択される。ユーザは、マウスボタンを押下したままドラッグ操作により、「オンラインゲーム」の表示を、中央のレーダーチャートの一番上の頂点近傍に移動させ、マウスボタンの押下を止める。これにより「オンラインゲーム」の表示が、中央のレーダーチャートの一番上の頂点にされる。このときの表示状態を図４に示す。また、中央のレーダーチャートに「オンラインゲーム」の表示がされたとき、図４に示すように、例えば、中央のレーダーチャートの一番上の頂点近傍の「◎」の表示を「１」に変更するようにしてもよい。この「１」の表示は、「オンラインゲーム」が１番目に選択されたことを示す。
【００３０】
なお、上記例では、ユーザにより選択された「オンラインゲーム」の表示が、中央のレーダーチャートの一番上の頂点に移動させられた場合について説明したが、移動先もユーザが任意に選択できるものとする。
【００３１】
また、上記例において、ユーザにより所定の機能が選択される前に、選択される機能の優先順位が予め表示されるようにしてもよい。例えば、中央のレーダーチャートの六角形の全頂点の「◎」を、ユーザにとっての優先順位を示す１〜６の数字に変更して表示するようにする。ユーザは、自分のやりたいこととして「オンラインゲーム」の優先順位が最も高い場合、上記ドラッグ操作を行って、中央のレーダーチャートにおいて予め「１」が表示されている頂点近傍に、「オンラインゲーム」の表示を移動させ、マウスボタンの押下を止める。これにより「オンラインゲーム」の表示が、中央のレーダーチャートにおいて予め「１」が表示されている頂点にされる。
【００３２】
クライアント装置２は、上記例で説明したユーザによる機能の選択・移動操作が行われる度に、当該操作を示すリクエストをサーバ装置１へ送信している（ステップＳ１３）。これに対し、図２には図示していないが、サーバ装置１は、受信したリクエストに対応するように画面データを変更してクライアント装置２へ送信している。これにより、図３から図４への画面の更新が可能となる。なお、このようなリクエストに基づく画面の更新については、公知技術を採用できるので、ここでの詳細な説明は省略する。
【００３３】
そして、ユーザによる機能の選択・移動操作により、「オンラインゲーム」の中央のレーダーチャートへの移動が完了した場合、クライアント装置２は、リクエストに「１番目に、オンラインゲームが選択、移動された」ことを示すデータを含めて、サーバ装置１に送信する（ステップＳ１３）
【００３４】
サーバ装置１は、受信したリクエストに基づいて、６つ全部の機能の選択が完了したかどうかを判断する（ステップＳ２３）。ここでは、「オンラインゲーム」の選択は１番目であるので、選択は未完了であると判断し（ステップＳ２３／ＮＯ）、ユーザに対し再び機能の選択入力を要求する（ステップＳ２２）。このとき、図４の画面例に示すように、中央のレーダーチャートの上方に、ユーザ向けのメッセージとして、あといくつ機能を選べるかを表示するようにしてもよい。
【００３５】
なお、上記ステップＳ２３の前後において、サーバ装置１は、リクエストに含まれる「１番目に、オンラインゲームが選択、移動された」ことを示すデータを記憶手段１３等に保持するようにしてもよい。すなわち、サーバ装置１は、ユーザにより選択された機能と、その機能が選択された順番（あるいは、その機能の優先順位）とを対応付けて記憶手段１３に格納する。この格納は、１〜６の全ての順番分行われてもよいし、所定の順番のみ行われてもよい。
【００３６】
クライアント装置２では、ユーザは、図４の画面を見て、２番目の機能の選択、移動操作を行う。その後の動作は、上記同様であるので、ここでの説明は省略する。このようにして、ユーザは、６つ全ての機能を選択し、中央のレーダーチャートへ移動させる。
【００３７】
サーバ装置１は、例えば「６番目に、はがき  年賀状作成が選択、移動された」ことを示すデータを含めたリクエストを受信すると、選択が完了したと判断する（ステップＳ２３／ＹＥＳ）。
【００３８】
そして、サーバ装置１は、選択された１〜６番目の各機能の機能ポイントに基づいて、中央のレーダーチャートに六角形を生成し、その画面データ（第２の画面データ）をクライアント装置２へ送信する（ステップＳ２４）。
【００３９】
クライアント装置２は、図５に示すように、中央のレーダーチャートにおいて六角形が完成した画面を表示する。
【００４０】
なお、ステップＳ２４において、最後の６番目の機能が選択、移動された後で、選択された１〜６番目の各機能の機能ポイントに基づいて、中央のレーダーチャートに六角形を生成するようにしたが、六角形の生成タイミングはこれに限定されない。例えば、２番目以降の機能が選択、移動される度に、既に選択、移動が済んでいる機能のみを繋いで六角形を生成するようにしてもよい。
【００４１】
また、画面データに基づく描画処理は、サーバ装置１及びクライアント装置２のどちらで行ってもよい。
【００４２】
以上説明したように本実施形態によれば、ユーザにより選択されたＰＣの製品情報を表示する画面において、当該ＰＣの有する全ての機能（当該ＰＣを用いてできる全てのこと）を図示により表示する。これによりユーザは、選択したＰＣの有する機能（選択したＰＣを用いてできること）を容易に認識、把握することができる。また、本実施形態によれば、ＰＣの有する全ての機能（ＰＣを用いてできる全てのこと）の中から、ユーザにより選択された機能（こと）のみを用いてさらに図示により表示する。これによりユーザは、選択したＰＣを用いてやりたいことをイメージしやすくなる。
【００４３】
以上、本発明の実施形態について説明したが、上記実施形態に限定されるものではなく、その要旨を逸脱しない範囲において種々の変形が可能である。
【００４４】
例えば、上述した実施形態における動作は、ハードウェア、または、ソフトウェア、あるいは、両者の複合構成によって実行することも可能である。
【００４５】
ソフトウェアによる処理を実行する場合には、処理シーケンスを記録したプログラムを、専用のハードウェアに組み込まれているコンピュータ内のメモリにインストールして実行させてもよい。あるいは、各種処理が実行可能な汎用コンピュータにプログラムをインストールして実行させてもよい。
【００４６】
例えば、プログラムは、記録媒体としてのハードディスクやＲＯＭ（Read Only Memory）に予め記録しておくことが可能である。あるいは、プログラムは、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的、あるいは、永続的に格納（記録）しておくことが可能である。このようなリムーバブル記録媒体は、いわゆるパッケージソフトウエアとして提供することが可能である。
【００４７】
なお、プログラムは、上述したようなリムーバブル記録媒体からコンピュータにインストールする他、ダウンロードサイトから、コンピュータに無線転送してもよい。または、ＬＡＮ(Local Area Network)、インターネットといったネットワークを介して、コンピュータに有線で転送してもよい。コンピュータでは、転送されてきたプログラムを受信し、内蔵するハードディスク等の記録媒体にインストールすることが可能である。
【００４８】
また、上記実施形態で説明した処理動作に従って時系列的に実行されるのみならず、処理を実行する装置の処理能力、あるいは、必要に応じて並列的にあるいは個別に実行するように構築することも可能である。
【００４９】
また、上記実施形態で説明したシステムは、複数の装置の論理的集合構成にしたり、各装置の機能を混在させたりするように構築することも可能である。
【産業上の利用可能性】
【００５０】
本発明は、複数の要素・特徴を備えたオブジェクトから任意のものを選択する機器・装置、システム、方法、プログラム等に適用できる。
【図面の簡単な説明】
【００５１】
【図１】本発明の一実施形態に係る情報処理システム及びサーバ装置の構成を示すブロック図である。
【図２】本発明の一実施形態に係る情報処理システムの動作を示すシーケンスチャートである。
【図３】本発明の一実施形態に係るクライアント装置で表示される画面例を示す図である。
【図４】本発明の一実施形態に係るクライアント装置で表示される画面例を示す図である。
【図５】本発明の一実施形態に係るクライアント装置で表示される画面例を示す図である。
【符号の説明】
【００５２】
１    サーバ装置
２    クライアント装置
３    インターネット
１１    ＣＰＵ
１２    メモリ
１３    記憶手段
１４    通信手段
【図１】
2010079373.tif 000003
【図２】
2010079373.tif 000004
【図３】
2010079373.tif 000005
【図４】
2010079373.tif 000006
【図５】
2010079373.tif 000007